(57)【要約】【課題】ドアトリムとドアカバーの間に隙間がなく見栄えのよい車両用ドアを提供する。【解決手段】ドアインナパネル１２の車室内側に取り付けられるドアトリム１４と、ドアインナパネル１２の車両後方側の周縁部に取り付けられるドアカバー１６とを有する車両用ドア１０であって、ドアトリム１４及びドアカバー１６を相互に結合する結合手段２４を有している。結合手段２４は、位置決めピン２６、位置決めブラケット２８、及びクリップ３０によって構成されている。【選択図】図１
2009137397.tif 000002
【特許請求の範囲】
【請求項１】
ドアインナパネルの車室内側に取り付けられるドアトリムと、前記ドアインナパネルの車両後方側の周縁部に取り付けられるドアカバーとを有する車両用ドアであって、
前記ドアトリム及び前記ドアカバーを相互に結合する結合手段を有することを特徴とする車両用ドア。
【請求項２】
請求項１に記載の車両用ドアであって、
前記ドアトリムには、位置決めピンが設けられており、
前記ドアカバーには、位置決めブラケットが設けられており、
前記位置決めブラケットには、前記位置決めピンが挿入される挿入孔が形成されていることを特徴とする車両用ドア。
【請求項３】
請求項２に記載の車両用ドアであって、
前記位置決めピンが前記挿入孔に挿入された状態において、前記位置決めピンが前記挿入孔から抜け出ることを防止する別体のクリップを備えており、
前記結合手段は、前記位置決めピン、前記位置決めブラケット、及び前記クリップによって構成されていることを特徴とする車両用ドア。
【請求項４】
請求項１から請求項３のうちいずれか１項に記載の車両用ドアであって、
前記ドアトリムは、上下に分割されており、
前記ドアトリムの上下の分割位置と、前記ドアカバーの上端位置が一致していることを特徴とする車両用ドア。
【発明の詳細な説明】
【技術分野】
【０００１】
本発明は、ドアトリム及びドアカバーを備える車両用ドアに関する。
【背景技術】
【０００２】
従来、ドアインナパネルの車室内側に取り付けられるドアトリムと、ドアインナパネルの車両後方側の周縁部に取り付けられるドアカバーとを有する車両用ドアが知られている（特許文献１を参照）。
【０００３】
【特許文献１】特開２００５−２０５９６４公報
【発明の開示】
【発明が解決しようとする課題】
【０００４】
図５は、従来のドアトリムとドアカバーが取り付けられている車両用ドア１００を示す正面図である。図６は、図５に示す車両用ドア１００のＢ−Ｂ線断面図である。
従来の車両用ドア１００においては、ドアインナパネル１０２の車室内側にはドアトリム１０４が取り付けられており、ドアインナパネル１０２の車両後方側の周縁部にはドアカバー１０６が取り付けられている。ドアトリム１０４及びドアカバー１０６は、それぞれ、ドアインナパネル１０２に対して図示しないクリップ等を用いて取り付けられている。
【０００５】
しかし、従来の車両用ドア１００においては、ドアトリム１０４及びドアカバー１０６はドアインナパネル１０２に対して取付関係はあるが、ドアトリム１０４とドアカバー１０６の取付関係はないために、図６に示すように、ドアトリム１０４とドアカバー１０６が重なり合っている部分において、ドアトリム１０４とドアカバー１０６との間に隙間１０８が生じてしまい、車両用ドア１００の見栄えが悪くなってしまうという問題があった。
【０００６】
本発明は上記のような事情に鑑みてなされたものであって、ドアトリムとドアカバーの間に隙間がなく見栄えのよい車両用ドアを提供することを目的とする。
【課題を解決するための手段】
【０００７】
課題を解決するための手段は、以下の発明である。
第１発明は、ドアインナパネルの車室内側に取り付けられるドアトリムと、前記ドアインナパネルの車両後方側の周縁部に取り付けられるドアカバーとを有する車両用ドアであって、前記ドアトリム及び前記ドアカバーを相互に結合する結合手段を有することを特徴とする車両用ドアである。
【０００８】
第１発明によれば、ドアトリム及びドアカバーが相互に結合されている。したがって、ドアトリムとドアカバーが重なり合っている部分において、ドアトリムとドアカバーの間に隙間が発生することを防止することができる。これにより、車両用ドアの見栄えを向上させることができる。
【０００９】
第２発明は、第１発明の車両用ドアであって、前記ドアトリムには、位置決めピンが設けられており、前記ドアカバーには、位置決めブラケットが設けられており、前記位置決めブラケットには、前記位置決めピンが挿入される挿入孔が形成されていることを特徴とする車両用ドアである。
【００１０】
第２発明によれば、ドアトリムをドアカバーに対して位置決めすることができる。これにより、ドアトリムとドアカバーが重なり合っている部分の見栄えをさらに向上させることができる。
【００１１】
第３発明は、第２発明の車両用ドアであって、前記位置決めピンが前記挿入孔に挿入された状態において、前記位置決めピンが前記挿入孔から抜け出ることを防止する別体のクリップを備えており、前記結合手段は、前記位置決めピン、前記位置決めブラケット、及び前記クリップによって構成されていることを特徴とする車両用ドアである。
【００１２】
第３発明によれば、ドアトリムをドアカバーに対して位置決めするための位置決め手段（位置決めピン及び位置決めブラケット）を、ドアトリム及びドアカバーを相互に結合する結合手段として利用することが可能である。したがって、位置決め手段、結合手段を別個に設ける必要がなくなるために、車両用ドアを低コストで製造することが可能となる。
【００１３】
第４発明は、第１発明から第３発明のうちいずれかの車両用ドアであって、前記ドアトリムは、上下に分割されており、前記ドアトリムの上下の分割位置と、前記ドアカバーの上端位置が一致していることを特徴とする車両用ドアである。
【００１４】
第４発明によれば、ドアトリムの上下の分割位置とドアカバーの上端位置が一致しているために、ドアトリムとドアカバーが重なり合っている部分の見栄えをさらに向上させることができる。
【発明の効果】
【００１５】
本発明によれば、ドアトリムとドアカバーの間に隙間がなく見栄えのよい車両用ドアを提供することが可能となる。
【発明を実施するための最良の形態】
【００１６】
以下、本発明の実施形態について図面を参照しながら詳細に説明する。
図１は、本実施形態の車両用ドア１０を示す正面図である。図２は、図１に示す車両用ドア１０のＡ−Ａ線断面図である。なお、図１及び図２において、左側が車両前方側であり、右側が車両後方側である。
【００１７】
本実施形態の車両用ドア１０は、車両の前部座席のサイドドアとして使用されるものである。図１に示すように、車両用ドア１０は、ドアインナパネル１２と、ドアトリム１４と、ドアカバー１６とを有している。
【００１８】
ドアインナパネル１２は、金属製の板状部材によって構成されている。ドアインナパネル１２は、車両用ドア１０本体の外装部材を構成している。すなわち、車室内側に配置されたドアインナパネル１２と、車室外側に配置された図示しないドアアウタパネルとが接合して車両用ドア１０本体の外装部材が構成されている。
【００１９】
ドアトリム１４は、その基材が合成樹脂等によって形成された内装材である。ドアトリム１４は、アームレスト１８、インサイドドアハンドル２０、スピーカ２２等の各種の装備を備えている。ドアトリム１４は、ドアインナパネル１２の車室内側にクリップ等を用いて取り付けられている。ドアトリム１４の車室内側の一部または全部の表面には、織布、不織布、樹脂製シート、あるいは皮革等により形成された表皮材１９が被覆されている（図２参照）。
【００２０】
ドアトリム１４は、アッパーボード１４ａ及びロアボード１４ｂによって構成されている。アッパーボード１４ａは、ドアトリム１４の上縁部を構成する部材である。ロアボード１４ｂは、ドアトリム１４の上縁部以外の部分を構成する部材である。つまり、ドアトリム１４は、上下方向に少なくとも２つに分割されている。
【００２１】
ドアカバー１６は、合成樹脂等によって形成された内装材である。ドアカバー１６は、ドアインナパネル１２の車両後方側の周縁部にクリップ等を用いて取り付けられている。ドアカバー１６は、ドアインナパネル１２と図示しないドアアウタパネルとの接合部などドアトリム１４では対応できない箇所を覆い隠すことで車両用ドア１０の見栄えを向上させている。
【００２２】
図１、図２に示すように、ドアトリム１４の車両後方側の周縁部は、ドアカバー１６の車室内側の表面に重なり合っている。ドアトリム１４及びドアカバー１６が重なり合った部分には、ドアトリム１４及びドアカバー１６を相互に結合する結合手段２４が設けられている。
【００２３】
図３は、結合手段２４の斜視図である。なお、図３において、左上側が車室内側であり、右下側が車室外側である。
図３に示すように、ドアトリム１４及びドアカバー１６が重なり合った部分には、ドアトリム１４及びドアカバー１６を相互に結合する結合手段２４が設けられている。結合手段２４は、位置決めピン２６、位置決めブラケット２８、及びクリップ３０によって構成されている。
【００２４】
位置決めピン２６は、ドアトリム１４の車室外側の表面に一体的に設けられている。位置決めピン２６は、ドアトリム１４の車室外側の表面から車室外側に向けて突出する一対の脚部２６ａ、及び、その一対の脚部２６ａの間を架橋する架橋部２６ｂを備えている。
【００２５】
位置決めブラケット２８は、ドアカバー１６の車室内側の表面に一体的に設けられている。位置決めブラケット２８は、ドアカバー１６の車室内側の表面から車両前方側に向けて延出する延出部２８ａ、及び、その延出部２８ａの先端から車室外側に向けて略直角に屈曲する屈曲部２８ｂを備えている。延出部２８ａには、位置決めピン２６が車室内側から挿入される挿入孔３２が形成されている。
【００２６】
クリップ３０は、ポリプロピレン等の樹脂によって形成されている。クリップ３０は、位置決めピン２６及び位置決めブラケット２８とは別体に形成されている。クリップ３０は、第１係合爪３０ａ及び第２係合爪３０ｂを備えている。
【００２７】
図４は、クリップ３０が位置決めピン２６に取り付けられた後、位置決めピン２６が挿入孔３２に挿入された状態を示す断面図である。
図４に示すように、クリップ３０が位置決めピン２６に取り付けられた後、位置決めピン２６が挿入孔３２に挿入された状態では、クリップ３０の第１係合爪３０ａが架橋部２６ｂに係合しており、クリップ３０の第２係合爪３０ｂが挿入孔３２の孔縁部に係合している。これにより、位置決めピン２６が挿入孔３２から抜け出ることが防止されるとともに、ドアトリム１４及びドアカバー１６が重なり合った状態で相互に結合される。
【００２８】
本実施形態の車両用ドア１０は、以下の作用効果を奏する。
結合手段２４によってドアトリム１４及びドアカバー１６を相互に結合することができる。したがって、ドアトリム１４とドアカバー１６が重なり合っている部分において、ドアトリム１４とドアカバー１６の間に隙間が発生することを防止することができる。これにより、車両用ドア１０の見栄えを向上させることができる。
【００２９】
位置決めピン２６及び位置決めブラケット２８によって、ドアトリム１４をドアカバー１６に対して位置決めすることができる。これにより、ドアトリム１４とドアカバー１６が重なり合っている部分の見栄えをさらに向上させることができる。
【００３０】
ドアトリム１４をドアカバー１６に対して位置決めするための位置決め手段（位置決めピン２６及び位置決めブラケット２８）を、ドアトリム１４及びドアカバー１６を相互に結合する結合手段２４として利用することが可能である。したがって、位置決め手段および結合手段２４を別個に設ける必要がなくなるために、車両用ドア１０を低コストで製造することが可能となる。
【００３１】
ドアトリム１４の上下の分割位置（アッパーボード１４ａとロアボード１４ｂの境界位置）と、ドアカバー１６の上端位置が一致しているために、ドアトリム１４とドアカバー１６が重なり合っている部分の見栄えをさらに向上させることができる（図１参照）。また、ドアトリム１４及びドアカバー１６は結合手段２４によって相互に結合されているために、ドアトリム１４の上下の分割位置と、ドアカバー１６の上端位置が不一致になることが防止される。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、ドアトリム１４がアッパーボード１４ａ及びロアボード１４ｂの２つの部材に分割されている例を示したが、ドアトリム１４は３つ以上の部材に分割されてもよい。
（２）上記実施形態では、クリップ３０が位置決めピン２６及び位置決めブラケット２８とは別体に設けられている例を示したが、クリップ３０が位置決めピン２６あるいは位置決めブラケット２８に対して一体に設けられてもよい。
（３）上記実施形態では、車両用ドア１０が前部座席のサイドドアである例を示したが、車両用ドア１０が後部座席のサイドドアであってもよい。
【図面の簡単な説明】
【００３３】
【図１】車両用ドアを示す正面図である。
【図２】図１に示す車両用ドアのＡ−Ａ線断面図である。
【図３】結合手段の斜視図である。
【図４】クリップが位置決めピンに取り付けられた後、位置決めピンが挿入孔に挿入された状態を示す断面図である。
【図５】従来の車両用ドアを示す正面図である。
【図６】図５に示す車両用ドアのＢ−Ｂ線断面図である。
【符号の説明】
【００３４】
１０…車両用ドア
１２…ドアインナパネル
１４ａ…アッパーボード
１４ｂ…ロアボード
１４…ドアトリム
１６…ドアカバー
２４…結合手段
２６…位置決めピン
２８…位置決めブラケット
３０…クリップ
３２…挿入孔
【図１】
2009137397.tif 000003
【図２】
2009137397.tif 000004
【図３】
2009137397.tif 000005
【図４】
2009137397.tif 000006
【図５】
2009137397.tif 000007
【図６】
2009137397.tif 000008